(57)【要約】【課題】  剃毛部位の異なる特性に対応していずれの部位の体毛も剃り易くする。【解決手段】  複数の櫛状刃１、２を備えて櫛状刃１、２の突出方向と略平行な肌当て面３を有する少なくとも３つの刃ブロック４、５、６と、いずれかの刃ブロック４（５）（６）を取付けて駆動する本体８とを有するヘアクリッパーである。３つの刃ブロック４、５、６は、第１の刃ブロック４と、本体８の長手方向軸Ｘと肌当て面３との間で鋭角となる肌面当接角度θ２が第１の刃ブロック４のものより大きい第２の刃ブロック５と、第２の刃ブロック５と略同一の肌面当接角度θ３を備え、かつ、第１及び第２の刃ブロック４、５よりも櫛状刃１、２による切断幅Ｗ３が狭く構成される第３の刃ブロック６とを含む。【選択図】図１
2008154765.tif 000002
【特許請求の範囲】
【請求項１】
互いに重ねられ摺接する複数の櫛状刃と、前記櫛状刃を備えて櫛状刃の突出方向と略平行な肌当て面を有する少なくとも３つの刃ブロックと、前記櫛状刃のうち少なくともいずれかの櫛状刃を往復動させる駆動手段と、前記駆動手段を備えている長尺の本体とを有するヘアクリッパーにおいて、
前記少なくとも３つの刃ブロックは、第１の刃ブロックと、前記本体の長手方向軸と肌当て面との間で鋭角となる肌面当接角度が第１の刃ブロックのものよりも大きい第２刃ブロックと、前記第２の刃ブロックと略同一の肌面当接角度を備え、かつ、第１及び第２の刃ブロックよりも前記櫛状刃による切断幅が狭く構成される第３の刃ブロックとを含むものであり、
前記本体は複数の刃ブロックのうち、選択されたいずれかの一つの刃ブロックを着脱自在に取り付ける取付手段を備えていることを特徴とするヘアクリッパー。
【請求項２】
前記第３の刃ブロックの本体への被取付部の幅に比べて、前記櫛状刃及び肌当て面を含む作用部の幅を狭くして、第３の刃ブロックの両側部に凹所を形成していることを特徴とする請求項１記載のヘアクリッパー。
【請求項３】
前記第３の刃ブロックの肌当て面と第３の刃ブロックの本体への被取付部との距離を他の刃ブロックのものより大きくしたことを特徴とする請求項１又は２記載のヘアクリッパー。
【発明の詳細な説明】
【技術分野】
【０００１】
本発明は、複数の刃ブロックを一つの本体に対して取替え可能にしたヘアクリッパーに関し、詳しくは、剃毛部位の異なる特性に対応していずれの部位の毛も剃り易くしようとする技術に係るものである。
【背景技術】
【０００２】
従来、ヘアクリッパーは、一つの本体に対して取替え可能な複数の刃ブロックを備えている。刃ブロックとしては、頭髪用とこれ以外の体毛用との部位別の専用刃のものであり、一つの刃ブロックを選択して本体に取付け、剃毛部位の毛の密度に対応するものである（例えば、特許文献１参照）。
【０００３】
上記従来技術においては、いずれの刃ブロックにおける切断幅は、本体の刃取付部の幅とほぼ同一の幅となっている。そのわけは、各刃ブロックの幅を可能な限り広くして早く剃毛できるようにするためである。
【０００４】
しかしながら、剃毛部位の特性は、毛の密度の他、剃毛部位の形状による差があり、特に、脇や陰部周辺のデリケート部位においては、他の部位に比べ凹凸が激しく、かつ、腕や脚などより狭められているといった特徴がある。
このように特性に差がある部位を剃毛する場合に、体毛全般用で広幅の刃ブロックでは、刃ブロックの幅が広すぎて刃ブロックの両側部が身体に触れて邪魔になり、身体に当たるのを避けるために、本体とともに刃ブロックを斜めにするなどの操作を要し、使い勝手が悪くなり、特性に差がある部位の剃毛を良好におこなうことができないという問題があった。
【特許文献１】特開平１１−１９７３７３号公報
【発明の開示】
【発明が解決しようとする課題】
【０００５】
本発明は上記の点に鑑みてなされたものであり、剃毛部位の異なる特性に対応でき、特に、脇や陰部周辺のように凹凸があり狭い部位に対応でき、使いやすく、いずれの箇所も良好な剃毛ができるヘアクリッパーを提供することを課題とするものである。
【課題を解決するための手段】
【０００６】
請求項１に係る発明においては、互いに重ねられ摺接する複数の櫛状刃１、２と、前記櫛状刃１、２を備えて櫛状刃１、２の突出方向と略平行な肌当て面３を有する少なくとも３つの刃ブロック４、５、６と、前記櫛状刃１、２のうち少なくともいずれかの櫛状刃２を往復動させる駆動手段７と、前記駆動手段７を備えている長尺の本体８とを有するヘアクリッパーにおいて、前記少なくとも３つの刃ブロック４、５、６は、第１の刃ブロック４と、前記本体８の長手方向軸Ｘと肌当て面３との間で鋭角となる肌面当接角度θ２が第１の刃ブロック４のものより大きい第２の刃ブロック５と、前記第２の刃ブロック５と略同一の肌面当接角度θ３を備え、かつ、第１及び第２の刃ブロック４、５よりも前記櫛状刃１、２による切断幅Ｗ３が狭く構成される第３の刃ブロック６とを含むものであり、前記本体８は複数の刃ブロック４、５、６のうち、選択されたいずれかの一つの刃ブロック４（５）（６）を着脱自在に取り付ける取付手段９を備えていることを特徴とするものである。
【０００７】
このような構成によれば、少なくとも３つの刃ブロック４、５、６を備えていて、１台の本体８に対して選択した刃ブロック４（５）（６）を使用する構成として、全体コストを低減できるものでありながら、特に、第２の刃ブロック５では、本体８の長手方向軸Ｘと肌当て面３との間で鋭角となる肌面当接角度θ２が第１の刃ブロック４のものより大きいから、第１の刃ブロック４よりも第２の刃ブロック５を起こして剃毛することができ、第１の刃ブロック４を略球状の頭部の毛髪を剃毛する頭髪用とし、第２の刃ブロック５を手足や胸、胴等の体毛を剃毛する体毛用とし、第１及び第２の刃ブロック４、５が使い易くなり、更に、第３の刃ブロック６は、第２の刃ブロック５と略同一の肌面当接角度θ３を備えて使い易くしながら、第３の刃ブロック６では第１及び第２の刃ブロック４、５よりも櫛状刃１、２による切断幅Ｗ３を狭くしているから、脇や陰部周辺などのデリケート部位で、凹凸があって狭い部位においても、櫛状刃１、２の幅方向の両端部が身体に当たることがなく、剃毛部周辺が邪魔になることがなく、剃毛したい部位を狙い剃りすることがができ、剃毛作業効率を高めることができる。
【０００８】
請求項２に係る発明においては、前記第３の刃ブロック６の本体８への被取付部１８の幅Ｗｂに比べて、前記櫛状刃１、２及び肌当て面３を含む作用部６ａの幅Ｗ３を狭くして、第３の刃ブロック６の両側部に凹所１９、１９を形成していることを特徴とするものである。
【０００９】
このような構成によれば、第３の刃ブロック６の両側部に凹所１９、１９が形成されていて、凹所１９によって、脇や陰部周辺などの凹凸で狭い剃毛部位の凸部を逃げることができ、一層、使い易くすることができる。
【００１０】
請求項３に係る発明においては、前記第３の刃ブロック６の肌当て面３と第３の刃ブロック６の本体８への被取付部１８との距離Ｌを他の刃ブロック４、５のものより大きくしたことを特徴とするものである。
【００１１】
このような構成によれば、第３の刃ブロック６の肌当て面３を肌に当てた使用状態において、本体８への被取付部１８を肌より遠ざけることができ、幅が広くなっている被取付部１８が邪魔になることがなく、特に、凹みの深い部位で剃毛したい部位を狙い剃りすることができる。
【発明の効果】
【００１２】
要するに本発明にあっては、剃毛部位の異なる特性に対応することができ、特に、脇や陰部周辺のように凹凸があり狭い部位に対応することができ、使い易く、いずれの箇所も良好に剃毛ができる。
【発明を実施するための最良の形態】
【００１３】
以下、本発明を添付図面に示す実施の形態に基いて説明する。図２（ａ）は第１の刃ブロックを本体に取付けた使用形態の正面図、同図（ｂ）は側面図、同図（ｃ）は側断面図である。
【００１４】
図２に示すように、本発明のヘアクリッパーＡは、本体８を構成している本体ブロック１０と、本体ブロック１０の上部に着脱自在に取り付けられる少なくとも３つの刃ブロック４（５）（６）で構成したものである。各刃ブロック４（５）（６）は互いに重ねられ摺接する複数の櫛状刃１、２を備え、一つの櫛状刃１が固定刃１ａとなり、他の一つの櫛状刃２が可動刃２ａとなるものである。
【００１５】
本体ブロック１０は本体ハウジング１１内にモーター１２とモーター１２を駆動するための電源電池１３を収納し、モーター軸２８には可動刃２ａへの駆動伝達のための駆動手段７を介して駆動子１４が連結されている。
【００１６】
本体ハウジング１１の表面部にはスイッチハンドル１５が設けられ、スイッチハンドル１５を操作することにより電源がオンとなりモーター１２、駆動子１４を介して可動刃２ａを往復動させて、固定刃１ａとの協同で毛を切断するように構成している。
【００１７】
本体ブロック１０の上部に取り付けられる刃ブロック４（５）（６）について詳述する。
【００１８】
１台の本体ブロック１０上端部には刃取付部１６が形成され、刃ブロック４（５）（６）の基端部には被取付部１８が形成され、刃取付部１６に被取付部１８を装着することで、３種類の刃ブロック４、５、６のうち選択された一つが着脱自在に取付けられるのである。刃取付部１６は例えば本体ブロック１０の筒状の本体ハウジング１１の上端開口部の外周壁部に形成され、被取付部１８は例えば刃ブロック４（５）（６）の刃基台２０の開口内部に設けた弾性係止部２７（図８）で形成され、刃取付部１６に被取付部１８が弾性係止部２７を介して着脱自在に取付けられるものである。このような取付手段９の構成は種々設計変更可能である。
【００１９】
第１の刃ブロック４（図２、図３）は毛の密度の高い頭髪専用であり、第２の刃ブロック５（図４、図５）は比較的密度に低い体毛用であり、そして第３の刃ブロック６（図６、図７）は脇や陰部周辺などの剃毛部位が凹凸が激しく、かつ、狭い部位（デリケート部位）専用であり、このように、刃ブロック４、５、６はそれぞれ剃毛部位の特性に対応した専用のものである。
【００２０】
いずれの刃ブロック４、５、６も本体ブロック１０に取付けた状態で、本体ブロック１０に内蔵の駆動子１４の往復動により可動刃２ａが固定刃１ａに対して往復動して毛を挟み切りするものである。
【００２１】
各刃ブロック４、５、６の特徴について説明する。
【００２２】
図２、図３に示すように、第１の頭髪用の刃ブロック４は毛の密度の高い頭部を剃毛する専用刃であり、第１の刃ブロック４の幅Ｗ１は、本体ブロック１０の先端部に形成した刃取付部１６の幅Ｗａとほぼ同一の幅の広幅にしてあって、頭部を早く剃毛できるようにしている。第１の刃ブロック４の底面に形成した肌当て面３と本体ハウジング１１に形成したグリップ部１７の中軸線（本体８の長手方向軸Ｘ）との間の肌面当接角度θ１を後述する他の刃ブロック５、６の肌面当接角度θ２、θ３に比べて小さくしてあって、ヘアクリッパーＡを寝かせて略球状となる頭部の頭皮に肌当て面３を円滑に添わせて剃毛しやすくしている。
【００２３】
図４、図５に示すように、第２の体毛用の刃ブロック５の幅Ｗ２は、腹部、胸部、背部など広い面積を剃毛するために、頭髪用の第１の刃ブロック４と同じく本体ブロック１０の刃取付部１６の幅Ｗａとほぼ同幅にしている。第２の刃ブロック５の肌面当接角度θ２は、第１の刃ブロック４の肌面当接角度θ１より大きくしてあって、ヘアクリッパーＡを起こして上記部位の体毛を剃毛しやすくしている。
【００２４】
図１、図６、図７に示すように、上記デリケート部位用の第３の刃ブロック６は、脇や陰部周辺の凹凸が激しく、かつ、腕や脚などにより狭くなっている部位を剃毛するためのものであり、したがって、第３の刃ブロック６の幅、つまり、固定刃１ａ、可動刃２ａ及び肌当て面３を含む作用部６ａの幅、即ち、切断幅Ｗ３が本体ブロック１０の刃取付部１６の幅Ｗａ、及び、被取付部１８の幅Ｗｂに比べて十分に小さくしていて、第１、第２の刃ブロック４、５のように広幅としたものに比べて刃ブロック６の角部が邪魔することなく狭い部位を狙い剃りできるようにしている。
【００２５】
当然に、第３の刃ブロック６においては、被取付部１８の幅Ｗｂは、本体ハウジング１１に形成した共通の刃取付部１６の幅Ｗａとほぼ同一の幅となっていて、第３の刃ブロック６の正面視において、第３の刃ブロック６の両側部に凹所１９、１９が形成され、脇や陰部周辺の凹凸が激しく、かつ、腕や脚などにより狭くなっている部位の凸部を逃げることができて使い易くしている。
【００２６】
しかも、第３の刃ブロック６の肌当て面３と本体８への被取付部１８との距離Ｌ（図６、図７）を他の刃ブロック５における距離Ｌ１（図２、図４）より大きくし、本体８への被取付部１８から肌当て面３を遠ざけていて、被取付部１８の角部が邪魔にならないようにしている。このような構成は、例えば第３の刃ブロック６の刃基台２０の肌当て面３側の樹脂成形体の厚みを厚くすることで得られる。
【００２７】
図８は第３の刃ブロック６の構成の一例を示し、本例では、上記刃基台２０に櫛状刃１を固定刃１ａとして固定し、櫛状刃２を可動刃２ａとして案内板２１に装着し、案内板２１を刃基台２０に幅方向に駆動移動自在に装着し、押付けバネ２２にて可動刃２ａを固定刃１ａに押付けて構成したものである。第２及び第３の刃ブロック４、５においても同様の構成のものである。このように構成された第３の刃ブロック６は本体ブロック１０に取付けたとき、案内板２１に本体８側の駆動子１４を結合して、駆動子１４の可動にて可動刃２ａを固定刃１ａに対して往復動させるものである。符号２３はカバーである。このような刃ブロック６の構成は周知なものであり、第１及び第２の刃ブロック４、５にも適用でき、また、他の構成も採用することができるものである。
【００２８】
このように構成されたヘアクリッパーＡにおいては、３つの刃ブロック４、５、６を備えて１台の本体８に対して選択して使用するのである。この場合、第２の刃ブロック５では、本体８の長手方向軸Ｘと肌当て面３との間で鋭角となる肌面当接角度θ２が第１の刃ブロック４のものより大きくて、第１の刃ブロック４よりも第２の刃ブロック５を起こして剃毛するのであり、第１の刃ブロック４を略球状の頭部の毛髪を剃毛する頭髪用とし、第２の刃ブロック５を手足や胸、胴等の体毛を剃毛する体毛用とし、第１及び第２の刃ブロック４、５が使い易くなる。
【００２９】
第３の刃ブロック６は、第２の刃ブロック５と略同一の肌面当接角度θ３を備えて使い易くしながら、第３の刃ブロック６では第１及び第２の刃ブロック４、５よりも櫛状刃１、２による切断幅Ｗ３を狭くしているから、脇や陰部周辺などのデリケート部位で、凹凸があって狭い部位においても、櫛状刃１、２の幅方向の両端部が身体に当たることがなく、剃毛部周辺が邪魔になることがなく、剃毛したい部位を狙い剃りすることがができ、剃毛作業効率を高めることができる。
【００３０】
更に、第３の刃ブロック６においては、本体８への被取付部１８の幅Ｗｂに比べて、櫛状刃１、２及び肌当て面３を含む作用部６ａの幅（切断幅Ｗ３）を狭くしてあって、第３の刃ブロック６の両側部に凹所１９、１９が形成されていて、凹所１９、１９によって、脇や陰部周辺などの凹凸で狭い剃毛部位の凸部を逃げることができ、一層、使い易くすることができる。
【００３１】
加えて、第３の刃ブロック６の肌当て面３と第３の刃ブロック６の本体８への被取付部１８との距離Ｌを他の刃ブロック５における肌当て面３と刃ブロック５の本体８への被取付部１８との距離Ｌ１より大きくしていて、第３の刃ブロック６の肌当て面３を肌に当てた使用状態において、本体８への被取付部１８を肌より遠ざけることができ、幅が広くなっている被取付部１８が邪魔になることがなく、特に、凹みの深い部位で剃毛したい部位を狙い剃りすることができる。
【００３２】
このように、１台の本体８に頭髪用の第１の刃ブロック４、体毛用の第２の刃ブロック５、及び、凹凸が激しい狭い剃毛部位対応に特化したデリケート部位専用の第３の刃ブロック６を設けることにより、それぞれが使い易く、より早く剃毛ができるヘアクリッパーＡを提供することができる。
【００３３】
尚、本発明においては、刃ブロック４、５、６とは、互いに重ねられ摺接する複数の櫛状刃１、２と当該櫛状刃１、２を具備したものを意味し、本体８より使用者が容易に取り外し取替え可能なものであればよく、例えば、図９に示すように、刃基台部２４に櫛状刃１、２を備え、刃基台部２４の例えば固定フック２５を本体８の例えば可動フック２６に着脱自在に接続し、本体８側の駆動子１４にて可動刃となる櫛状刃２を可動する構成のものであってもよいものである。
【図面の簡単な説明】
【００３４】
【図１】本発明の実施の一形態を示し、第３の刃ブロックの使用状態を示す説明図である。
【図２】同上の第１の刃ブロックを本体に取付けた使用形態を示し、（ａ）は正面図、（ｂ）は側面図、（ｃ）は側断面図である。
【図３】同上の第１の刃ブロックを示し、（ａ）は上面図、（ｂ）は正面図、（ｃ）は側面図、（ｄ）は側断面図、（ｅ）は斜視図である。
【図４】同上の第２の刃ブロックを本体に取付けた使用形態を示し、（ａ）は正面図、（ｂ）は側面図、（ｃ）は側断面図である。
【図５】同上の第２の刃ブロックを示し、（ａ）は上面図、（ｂ）は正面図、（ｃ）は側面図、（ｄ）は側断面図、（ｅ）は斜視図である。
【図６】同上の第３の刃ブロックを本体に取付けた使用形態を示し、（ａ）は正面図、（ｂ）は側面図、（ｃ）は側断面図である。
【図７】同上の第３の刃ブロックを示し、（ａ）は上面図、（ｂ）は正面図、（ｃ）は側面図、（ｄ）は側断面図、（ｅ）は斜視図である。
【図８】同上の第３の刃ブロックの分解斜視図である。
【図９】同上の他の実施の形態の刃ブロックを本体に取付ける作用を示し、（ａ）は説明図、（ｂ）は刃ブロックの概略正面図である。
【符号の説明】
【００３５】
１    櫛状刃（固定刃）
２    櫛状刃（可動刃）
３    肌当て面
４    第１の刃ブロック
５    第２の刃ブロック
６    第３の刃ブロック
７    駆動手段
８    本体
９    取付手段
【図１】
2008154765.tif 000003
【図２】
2008154765.tif 000004
【図３】
2008154765.tif 000005
【図４】
2008154765.tif 000006
【図５】
2008154765.tif 000007
【図６】
2008154765.tif 000008
【図７】
2008154765.tif 000009
【図８】
2008154765.tif 000010
【図９】
2008154765.tif 000011